(57)【特許請求の範囲】
【請求項１】
タッチパネル式の表示手段と、
原稿を読み取って画像データを取得する原稿読取手段と、
該原稿読取手段によって取得された前記画像データの濃度分布を検出して最小入力濃度レベルと最大入力濃度レベルとを特定することで、ダイナミックレンジの幅を算出する濃度分布検出手段と、
該濃度分布検出手段によって算出された前記画像データのダイナミックレンジの幅とレンジ閾値とを比較するダイナミックレンジ判定手段と、
該ダイナミックレンジ判定手段によって前記画像データのダイナミックレンジの幅がレンジ閾値よりも狭いと判定されると、
階調調整を行うか否かを受け付ける警告画面において前記画像データの一部を拡大させた記録イメージを前記表示手段に表示させて階調調整指示か続行指示かを受け付けると共に、前記警告画面において前記階調調整指示を受け付けると、最小出力濃度レベルと最大出力濃度レベルとの入力を受け付けるレンジ調整画面を前記表示手段に表示させて最小出力濃度レベルと最大出力濃度レベルとの入力を受け付ける制御手段と、
該制御手段によって受け付けた前記最小出力濃度レベルと前記最大出力濃度レベルとに基づいて前記画像データのダイナミックレンジを広げる階調調整処理を行う画像処理手段と、
前記画像データに基づいて記録処理を行う記録手段とを具備し、
前記制御手段は、前記レンジ調整画面において実行指示を受け付けると、前記階調調整処理が行われた前記画像データに基づく前記記録処理を前記記録手段によって実行させ、前記ダイナミックレンジ判定手段によって前記画像データのダイナミックレンジの幅がレンジ閾値よりも狭くないと判定された場合と、前記警告画面において前記続行指示を受け付けた場合とには、前記階調調整処理が行われていない前記画像データに基づく前記記録処理を前記記録手段によって実行させることを特徴とする画像形成装置。
【請求項２】
前記レンジ閾値は、前記警告画面において修正可能であることを特徴とする請求項１記載の画像形成装置。
【請求項３】
前記レンジ調整画面には、入力濃度レベルを示す一方の軸に前記濃度分布検出手段によって特定された前記最小入力濃度レベル及び前記最大入力濃度レベルが、出力濃度レベルを示す他方の軸に最小出力濃度レベル及び最大出力濃度レベルがそれぞれ表示されている階調調整指示グラフが設けられ、当該階調調整指示グラフにおいて前記最小出力濃度レベル及び前記最大出力濃度レベルが個別に入力可能であることを特徴とする請求項１記載の画像形成装置。
【発明の詳細な説明】
【技術分野】
【０００１】
本発明は、画像形成装置に関し、特に画像のダイナミックレンジを変更する画像形成装置に関する。
【背景技術】
【０００２】
画像形成装置（プリンタ、コピー機、複合機等）は、原稿から読み取った画像データに基づき回転感光体の表面に潜像を形成し、形成した潜像を現像処理することで顕像化して再生画像を出力する。このような画像形成装置において、コントラストが低く、ダイナミックレンジの小さい原稿であっても、高品質の再生画像を得るために、画像データのダイナミックレンジを広げ、コントラスト補正をかけるということが行なわれている（例えば、特許文献１参照）。
【０００３】
特許文献１では、画像データの各濃度レベルの出現頻度を検出し、所定頻度以上の濃度レベルの範囲を全濃度レベルに引き伸ばすことにより、低コントラストの原稿から高コントラストの再生画像を得る技術が提案されている。
【先行技術文献】
【特許文献】
【０００４】
【特許文献１】特開平３−１２０９５８号
【発明の概要】
【発明が解決しようとする課題】
【０００５】
しかしながら、従来技術では、ダイナミックレンジが一義的に全濃度レベル（０〜２５５階調）に引き伸ばされるため、ユーザーが必要としていないにも拘わらずコントラスト調整が行われてしまったり、ユーザーが所望する再生画像よりも高コントラストの再生画像になってしまったりするという問題点があった。
【０００６】
本発明の目的は、上記問題点に鑑み、従来技術の問題を解決し、ユーザーが所望するコントラストの再生画像を得ることができる画像形成装置を提供することにある。
【課題を解決するための手段】
【０００７】
本発明の画像形成装置は、タッチパネル式の表示手段と、原稿を読み取って画像データを取得する原稿読取手段と、該原稿読取手段によって取得された前記画像データの濃度分布を検出して最小入力濃度レベルと最大入力濃度レベルとを特定することで、ダイナミックレンジの幅を算出する濃度分布検出手段と、該濃度分布検出手段によって算出された前記画像データのダイナミックレンジの幅とレンジ閾値とを比較するダイナミックレンジ判定手段と、該ダイナミックレンジ判定手段によって前記画像データのダイナミックレンジの幅がレンジ閾値よりも狭いと判定されると、階調調整を行うか否かを受け付ける警告画面において前記画像データの一部を拡大させた記録イメージを前記表示手段に表示させて階調調整指示か続行指示かを受け付けると共に、前記警告画面において前記階調調整指示を受け付けると、最小出力濃度レベルと最大出力濃度レベルとの入力を受け付けるレンジ調整画面を前記表示手段に表示させて最小出力濃度レベルと最大出力濃度レベルとの入力を受け付ける制御手段と、該制御手段によって受け付けた前記最小出力濃度レベルと前記最大出力濃度レベルとに基づいて前記画像データのダイナミックレンジを広げる階調調整処理を行う画像処理手段と、前記画像データに基づいて記録処理を行う記録手段とを具備し、前記制御手段は、前記レンジ調整画面において実行指示を受け付けると、前記階調調整処理が行われた前記画像データに基づく前記記録処理を前記記録手段によって実行させ、前記ダイナミックレンジ判定手段によって前記画像データのダイナミックレンジの幅がレンジ閾値よりも狭くないと判定された場合と、前記警告画面において前記続行指示を受け付けた場合とには、前記階調調整処理が行われていない前記画像データに基づく前記記録処理を前記記録手段によって実行させることを特徴とする。
さらに、本発明の画像形成装置においては、前記レンジ閾値を前記警告画面において修正可能にしても良い。
さらに、本発明の画像形成装置においては、前記レンジ調整画面には、入力濃度レベルを示す一方の軸に前記濃度分布検出手段によって特定された前記最小入力濃度レベル及び前記最大入力濃度レベルが、出力濃度レベルを示す他方の軸に最小出力濃度レベル及び最大出力濃度レベルがそれぞれ表示されている階調調整指示グラフが設けられ、当該階調調整指示グラフにおいて前記最小出力濃度レベル及び前記最大出力濃度レベルが個別に入力可能にしても良い。
【発明の効果】
【０００８】
本発明によれば、画像データのダイナミックレンジの幅がレンジ閾値よりも狭いと判定されると、最小出力濃度レベルと最大出力濃度レベルとの入力を受け付け、最小出力濃度レベルと最大出力濃度レベルとに基づいて画像データのダイナミックレンジを広げる階調調整処理を行うように構成することにより、ユーザーが所望するコントラストの再生画像を得ることができるという効果を奏する。
【図面の簡単な説明】
【０００９】
【図１】本発明に係る画像形成装置の実施の形態の内部構成を示す概略模式断面図である。
【図２】図１に示す画像形成装置の概略構成を示すブロック図である。
【図３】図２に示す濃度分布検出部によって検出された画像データの濃度分布例を示す図である。
【図４】本発明に係る画像形成装置の実施の形態における画像形成動作を説明するためのフローチャートである。
【図５】図１に示す操作部の液晶表示部に表示される警告表示例を示す図である。
【図６】図１に示す操作部の液晶表示部に表示されるレンジ調整画面例を示す図である。
【図７】図２に示す画像処理部によって階調処理が行われた画像データの濃度分布例を示す図である。
【発明を実施するための形態】
【００１０】
次に、本発明の実施の形態を、図面を参照して具体的に説明する。
本実施の形態の画像形成装置１は、複写機であり、図１を参照すると、原稿読取部２と、原稿給送部３と、本体部４と、スタックトレイ５と、操作部６とを備えている。原稿読取部２は、本体部５の上部に配設され、原稿給送部３は、原稿読取部２の上部に配設されている。スタックトレイ５は、本体部４の形成された記録紙の排出口４１側に配設され、また、操作部６は、画像形成装置１の手前側に配設されている。
【００１１】
操作部６には、液晶表示部６１、テンキー６２が設けられている。ユーザーは操作部６を操作して指示を入力することで、画像形成装置１の各種の設定をし、画像形成等の各種機能を実行させる。液晶表示部６１は、画像形成装置１の状態を示したり、画像形成状況や印刷部数を表示したり、タッチパネルとして、両面印刷や白黒反転等の機能や倍率設定、濃度設定など各種設定を行えるようになっている。その他、操作部６には、画像形成を開始するようにユーザーが指示するスタートボタン、画像形成を中止する際等に使用するストップ／クリアボタン、画像形成装置１の各種設定をデフォルト状態にする際に使用するリセットボタン等が設けられている。
【００１２】
原稿読取部２は、スキャナー２１と、プラテンガラス２２と、原稿読取スリット２３とを備える。スキャナー２１は、露光ランプ及びＣＣＤ(Charge Coupled Device)センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交する方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得し、取得した画像データを本体部４に出力する。また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４は、記録部７を備えると共に、給紙部４２と、用紙搬送路４３と、搬送ローラー４４と、排出ローラー４５とを備えている。給紙部４２は、複数の給紙カセット４２ａ１〜４２ａｎと、給紙カセット４２ａ１〜４２ａｎから記録紙を１枚ずつ用紙搬送路４３に繰り出す給紙ローラー４２ｂ１〜４２ｂｎとを備えている。給紙ローラー４２ｂ１〜４２ｂｎ、搬送ローラー４４及び排出ローラー４５が搬送部として機能し、記録紙が搬送される。給紙ローラー４２ｂ１〜４２ｂｎによって用紙搬送路４３に繰り出された記録紙は、搬送ローラー４４によって記録部７に搬送される。そして、記録部７によって記録が施された記録紙は、排出ローラー４５によってスタックトレイ５に排出される。
【００１６】
記録部７は、感光体ドラム７１と、露光部７２と、画像形成部７３と、転写部７４と、定着部７５とを備えている。露光部７２は、レーザー装置やミラー等を備えた光学ユニットであり、画像データに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部７３によって感光体ドラム７１上に形成されたトナー像を記録紙に転写させる。定着部７５は、転写部７４によってトナー像が転写された記録紙を加熱してトナー像を記録紙に定着させる。
【００１７】
図２には、画像形成装置１の概略構成を示すブロック図が示されている。上述の原稿読取部２、原稿給送部３、搬送部（給紙ローラー４２ｂ１〜４２ｂｎ、搬送ローラー４４、排出ローラー４５）、操作部６及び記録部７は、制御部８に接続され、制御部８によって動作制御される。また、制御部８には、記憶部９と、濃度分布検出部１０と、ダイナミックレンジ判定部１１と、画像処理部１２とが接続されている。
【００１８】
制御部８は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部８は、ＲＯＭに記憶されている制御プログラムを読み出し、制御プログラムをＲＡＭに展開させることで、操作部６から入力された所定の指示情報に応じて装置全体の制御を行う。
【００１９】
記憶部９は、半導体メモリやＨＤＤ（Hard Disk Drive）等の記憶手段であり、原稿読取部２によって原稿を読み取ることで取得された画像データや、画像データのダイナミックレンジの狭さの限界値を指定するレンジ閾値Ｄ等が記憶される。なお、レンジ閾値Ｄは、予め設定しておいても良いが、ユーザーが操作部６から入力設定できるように構成するとより好適である。
【００２０】
濃度分布検出部１０は、図３に示すように、記憶部９に記憶された画像データの各入力濃度レベル（２５５階調）の出現頻度を検出し、ダイナミックレンジの幅Ｗを算出する。具体的には、検出した各入力濃度レベルの出現頻度が所定の閾値を超える最小入力濃度レベルａと、最大入力濃度レベルｂとを特定し、最大入力濃度レベルｂから最小入力濃度レベルａを減算してダイナミックレンジの幅Ｗを算出する。
【００２１】
ダイナミックレンジ判定部１１は、濃度分布検出部１０によって算出されたダイナミックレンジの幅Ｗと記憶部９に記憶されているレンジ閾値Ｄとを比較し、比較判定結果を制御部８に通知する。
【００２２】
画像処理部１２は、画像データに対して所定の画像処理を行う手段であり、例えば、拡大縮小処理や、濃度調整等の画像改善処理や、操作部６から入力された最小出力濃度レベルαと、最大出力濃度レベルβとに基づいてダイナミックレンジを広げる階調調整処理が行われる。
【００２３】
次に、本実施の形態の画像形成装置１における画像形成動作について図４乃至図７を参照して仕様際に説明する。
【００２４】
本体部４に画像データが入力され（ステップＳ１）、記憶部９に記憶されると、濃度分布検出部１０は、記憶部９に記憶された画像データの各入力濃度レベル（２５５階調）の出現頻度を検出する（ステップＳ２）。次に、濃度分布検出部１０は、検出した各入力濃度レベルの出現頻度が所定の閾値を超える最小入力濃度レベルａと、最大入力濃度レベルｂとを特定し、最大入力濃度レベルｂから最小入力濃度レベルａを減算してダイナミックレンジの幅Ｗを算出する（ステップＳ３）。
【００２５】
次に、ダイナミックレンジ判定部１１は、濃度分布検出部１０によって算出されたダイナミックレンジの幅Ｗと記憶部９に記憶されているレンジ閾値Ｄとを比較し、ダイナミックレンジの幅Ｗがレンジ閾値Ｄよりも狭いか否かを判断し（ステップＳ４）、比較判定結果を制御部８に通知する。
【００２６】
図３（ｂ）に示すような濃度分布で、ステップＳ４においてダイナミックレンジの幅Ｗがレンジ閾値Ｄよりも狭くない場合、制御部８は、階調調整処理が行われていない画像データに基づく記録処理を実行する（ステップＳ５）。
【００２７】
図３（ａ）に示すような濃度分布で、ステップＳ４においてダイナミックレンジの幅Ｗがレンジ閾値Ｄよりも狭い場合、制御部８は、図５に示すような警告画面６４を操作部６の液晶表示部６１に表示させ、画像データのダイナミックレンジの幅Ｗがレンジ閾値Ｄよりも狭いことを知らせる警告報知を行う（ステップＳ６）。
【００２８】
警告画面６４には、階調調整を指示しない続行指示ボタン６４１と、階調調整を指示する階調調整指示ボタン６４２とが設けられており、制御部８は、いずれかのボタンの入力を監視、すなわち階調調整指示か否かを受け付ける（ステップＳ７）。なお、警告画面６４において、記録イメージを示すプレビュー画面（例えば画像データの一部を拡大させた記録イメージ）を液晶表示部６１に表示させることもできる。この場合には、階調調整が必要か否かのユーザー判断を容易に行うことができる。また、なお、警告画面６４において、操作部６からの入力によってレンジ閾値Ｄの修正を行うことができるようにしても良い。この場合には、ユーザーが実際の画像を参照しながらレンジ閾値Ｄの修正を行うことが可能になる。
【００２９】
ステップＳ７で、続行指示ボタン６４１が入力され、階調調整が指示されない場合、制御部８は、階調調整処理が行われていない画像データに基づく記録処理を実行する（ステップＳ５）。
【００３０】
ステップＳ７で、階調調整指示ボタン６４２が入力され、階調調整が指示された場合、制御部８は、図６に示すようなレンジ調整画面６５を操作部６の液晶表示部６１に表示させる（ステップＳ８）。
【００３１】
レンジ調整画面６５は、最小出力濃度レベルα及び最大出力濃度レベルβを受け付けるための画面であり、最小出力濃度レベルα及び最大出力濃度レベルβを入力する階調調整指示グラフ６５１と、最小出力濃度レベルαが表示される最小出力濃度レベル表示欄６５２と、最大出力濃度レベルβが表示される最大出力濃度レベル表示欄６５３と、実行指示ボタン６５４と、キャンセルボタン６５５とが設けられている。
【００３２】
階調調整指示グラフ６５１は、図６に示すように、Ｘ軸が入力濃度レベルに、Ｙ軸が出力濃度レベルにそれぞれ設定されたグラフであり、Ｘ軸に濃度分布検出部１０によって特定された最小入力濃度レベルａ及び最大入力濃度レベルｂが、Ｙ軸に最小出力濃度レベルα及び最大出力濃度レベルβがそれぞれ表示されている。Ｙ軸の最小出力濃度レベルαの周辺領域６５６にタッチして上下に移動させることで、最小出力濃度レベルαが設定される。また、Ｙ軸の最大出力濃度レベルβの周辺領域６５７にタッチして上下に移動させることで、最大出力濃度レベルβが設定される。これにより、濃度分布検出部１０によって特定された最小入力濃度レベルａ及び最大入力濃度レベルｂと視覚的に対比しながら最小出力濃度レベルα及び最大出力濃度レベルβを入力することが可能になる。なお、最小出力濃度レベル表示欄６５２及び最大出力濃度レベル表示欄６５３に、テンキー６２を用いて濃度レベルを直接入力できるようにしても良い。
【００３３】
レンジ調整画面６５において、実行指示ボタン６５４が入力されると、制御部８は、レンジ調整画面６５で入力された最小出力濃度レベルα及び最大出力濃度レベルβを受け付け（ステップＳ８）、受け付けた最小出力濃度レベルα及び最大出力濃度レベルβに基づく階調調整を画像処理部１２に指示する。
【００３４】
画像処理部１２は、最小出力濃度レベルαと、最大出力濃度レベルβとに基づいてダイナミックレンジを広げる階調調整処理を行う（ステップＳ９）。例えば画像データの入力濃度レベルｘとすると、出力濃度レベルｆ（ｘ）は、ｆ（ｘ）＝α＋（ｘ−ａ）＊（β−α）／（ｂ−ａ）で求めることができる。また、階調調整用のＬＵＴを生成することで階調調整処理を行っても良い。
【００３５】
次に、制御部８は、画像処理部１２によって階調調整処理が行われた画像データに基づく記録処理を実行する（ステップＳ５）。これにより、ユーザーが所望するコントラストの出力を得ることができる。なお、階調調整処理が行われた画像データに基づく記録イメージや、図７に示すような、階調調整処理が行われた画像データの濃度分布を、レンジ調整画面６５において、プレビューとして表示させるようにしても良い。この場合には、出力される記録イメージを確認しながら、階調調整が必要か否かのユーザー判断を容易に行うことができる。また、なお、警告画面６４において、操作部６からの入力によってレンジ閾値Ｄの修正を行うことができるようにしても良い。この場合には、ユーザーが実際の画像を参照しながらレンジ閾値Ｄの修正を行うことが可能になる。ダイナミックレンジの幅Ｗがレンジ閾値Ｄよりも狭い場合には、最小出力濃度レベルα及び最大出力濃度レベルβを入力することが可能になる。
【００３６】
以上説明したように、本実施の形態によれば、画像データの濃度分布を検出して最小入力濃度レベルａと最大入力濃度レベルｂとを特定することで、ダイナミックレンジの幅Ｗを算出する濃度分布検出部１０と、濃度分布検出部１０によって算出された画像データのダイナミックレンジの幅Ｗとレンジ閾値Ｄとを比較するダイナミックレンジ判定部１１と、ダイナミックレンジ判定部１１によって画像データのダイナミックレンジの幅Ｗがレンジ閾値Ｄよりも狭いと判定されると、最小出力濃度レベルαと最大出力濃度レベルβとの入力を受け付ける制御部８と、制御部８によって受け付けた最小出力濃度レベルαと最大出力濃度レベルβとに基づいて画像データのダイナミックレンジＷを広げる階調調整処理を行う画像処理部１２と、画像処理部１２によって階調調整が行われた画像データに基づいて記録処理を行う記録部７とを設けることにより、ユーザーが所望するコントラストの再生画像を得ることができるという効果を奏する。
【００３７】
さらに、本実施の形態によれば、操作部６から入力することで、ユーザーがレンジ閾値Ｄを設定可能に構成されている。これにより、ユーザーが限度とする低コントラストの画像を設定することができ、ユーザーが所望しないコントラストの再生画像が出力されることを防止することができる。
【００３８】
さらに、本実施の形態によれば、タッチパネル式の液晶表示部６１を設け、制御部８は、最小出力濃度レベルαと最大出力濃度レベルβとの入力を受け付けるレンジ調整画面６５を液晶表示部６１に表示させるように構成されている。また、レンジ調整画面６５には、入力濃度レベルを示すＸ軸に濃度分布検出部１０によって特定された最小入力濃度レベルａ及び最大入力濃度レベルｂが、出力濃度レベルを示すＹ軸に最小出力濃度レベルα及び最大出力濃度レベルβがそれぞれ表示されている階調調整指示グラフ６５１が設けられ、階調調整指示グラフ６５１において最小出力濃度レベルα及び最大出力濃度レベルβが個別に入力可能になっている。これにより、ユーザーは、濃度分布検出部１０によって特定された最小入力濃度レベルａ及び最大入力濃度レベルｂと視覚的に対比しながら最小出力濃度レベルα及び最大出力濃度レベルβを入力することが可能になる。
【００３９】
さらに、本実施の形態によれば、制御部８は、ダイナミックレンジ判定部１１によって画像データのダイナミックレンジの幅Ｗがレンジ閾値Ｄよりも狭いと判定されると、階調調整を行うか否かを受け付ける警告画面６４を液晶表示部６１に表示させるよう構成されている。これにより、ユーザーは、画像データのダイナミックレンジの幅Ｗが狭いことを認識できると共に、階調調整の是非を判断することができる。
【００４０】
なお、本実施の形態では、本発明に係る画像形成装置の例として、複写機を示したが、本発明に係る画像形成装置はこれに限定されるものではなく、原稿の読み取り機能や画像データ出力機能を有する機器、例えば、ファクシミリ装置、プリンタ、複合機（コピー、ファクシミリ装置、プリンタ等の機能を兼ね備えた画像形成装置）等であってもよい。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４２】
１  画像形成装置
２  原稿読取部
３  原稿給送部
４  本体部
５  スタックトレイ
６  操作部
７  記録部
８  制御部
９  記憶部
１０  濃度分布検出部
１１  ダイナミックレンジ判定部
１２  画像処理部
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー
４５  排出ローラー
６１  液晶表示部
６２  テンキー
６４  警告画面
６４１  続行指示ボタン
６４２  階調調整指示ボタン
６５  レンジ調整画面
６５１  階調調整指示グラフ
６５２  最小出力濃度レベル表示欄
６５３  最大出力濃度レベル表示欄
６５４  実行指示ボタン
６５５  キャンセルボタン
７１  感光体ドラム
７２  露光部
７３  画像形成部
７４  転写部
７５  定着部
４２ａ１〜４２ａｎ  給紙カセット
４２ｂ１〜４２ｂｎ  給紙ローラー
【図１】
0005697570.tif 000002
【図２】
0005697570.tif 000003
【図３】
0005697570.tif 000004
【図４】
0005697570.tif 000005
【図５】
0005697570.tif 000006
【図６】
0005697570.tif 000007
【図７】
0005697570.tif 000008